(57)【要約】【課題】汎用性の高い防滴カバーを提供する。【解決手段】記録用紙Ｓに情報を記録し発行する印刷装置１００の防滴カバー８０であって、防水材料からなり、一方向に伸縮自在の覆い部８２と、前記覆い部８２を、前記覆い部８２の伸縮方向と略直交する方向の両辺で保持する保持部８４と、前記保持部８４の前記覆い部８２と対向する端部方向に位置して、複数の前記保持部８４の、前記覆い部８２の伸縮方向への回動動作の支点となる要部８５と、前記要部８５近傍に位置して、前記要部８５が取り付けられる要部取付部８６と、前記印刷装置１００に固定されるとともに、前記要部取付部８６が取り付けられる腕部９２を有する第１固定具９０と、前記印刷装置１００の設置面に固定されるととともに、前記第１固定具９０が自在に着脱される第２固定具９４とを備える。【選択図】図７
2012006159.tif 000002
【特許請求の範囲】
【請求項１】
記録用紙に情報を記録し発行する印刷装置の防滴カバーであって、
防水材料からなり、一方向に伸縮自在の覆い部と、
前記覆い部を、前記覆い部の伸縮方向と略直交する方向の両辺で保持する保持部と、
前記保持部の前記覆い部と対向する端部方向に位置して、複数の前記保持部の、前記覆い部の伸縮方向への回動動作の支点となる要部と、
前記要部近傍に位置して、前記要部が取り付けられる要部取付部と、
前記印刷装置に固定されるとともに、前記要部取付部が取り付けられる腕部を有する第１固定具と、
前記印刷装置の設置面に固定されるととともに、前記第１固定具が自在に着脱される第２固定具と、を備えることを特徴とする防滴カバー。
【請求項２】
前記覆い部は可撓性を有するシート状の防水材料で形成され、
前記保持部が前記要部を中心に扇状に作動することによって、前記覆い部が蛇腹状に伸縮することを特徴とする請求項１に記載の防滴カバー。
【請求項３】
前記覆い部は、前記保持部と一体に形成されるとともに複数に分割され、
分割された前記保持部は扇形に形成され、
前記覆い部は前記保持部を両端に配するとともに前記保持部の円弧部分に架設されており、
前記覆い部は、前記要部を中心に回動されることによって、重畳状態に伸縮することを特徴とする請求項１に記載の防滴カバー。
【請求項４】
前記第１固定具は、前記印刷装置の底面に取り付けられる取付板を有し、
前記取付板の前記印刷装置側の面には、前記腕部が突出するように形成されるとともに、前記取付板の他方の面側に前記取付板と段差を有する板状の係止部が形成され、
前記第２固定具は、前記設置面に据え付けられる据付板を有し、
前記据付板の前記印刷装置側の面には、前記第１固定具の前記係止部が挿入される受け部を有していることを特徴とする請求項１乃至３のいずれか一項に記載の防滴カバー。
【発明の詳細な説明】
【技術分野】
【０００１】
本発明は、記録用紙に情報を印刷して発行する印刷装置の防滴カバーに関する。
【背景技術】
【０００２】
記録用紙に情報を記録して発行する印刷装置が知られている。従来、この種の印刷装置は、室内の良好な環境下で使用されることが一般であった。近年、装置の小型化や無線による印刷データの送信技術等の進歩に伴い、様々な分野、用途に印刷装置が用いられる。例えば、印刷装置は、レストランのオーダリングシステムに適用され厨房等で使用されたり、計測や発券等の用途に用いられ屋外で使用されることがある。また、このような場合は壁掛け等の縦配置で使用されることがある。厨房や屋外等の環境では、湿気や雨天等、周囲に水分が存在する可能性がある。印刷装置は、情報を記録した記録用紙を発行する開口部である紙排出口を有する。また、印刷装置は、外装ケースに内部で発生した熱を放出する開口部である排気口を有するものもある。
【０００３】
そのため、紙排出口等の開口部から水分（水滴）が浸入し印刷装置に様々な不具合を発生させる虞がある。例えば、紙排出口から水滴が浸入すると、記録用紙が水分で濡れ、それが抵抗となり紙送り不良が発生する可能性がある。そこで、記録用紙の紙排出口付近を部材で覆い、水滴の浸入を防止する防水カバーが提案されている（例えば、特許文献１参照）。また、紙排出口を含めその他の開口部への水分の浸入を防止するために、防水材料で複数の部材を作成し、印刷装置全体を覆う防滴カバーが提案されている（例えば、特許文献２参照）。
【先行技術文献】
【特許文献】
【０００４】
【特許文献１】特開平６−４７９８７号公報
【特許文献２】特開２００６−２０５６７２号公報
【発明の概要】
【発明が解決しようとする課題】
【０００５】
特許文献１に記載の防水カバーは、記録用紙の紙排出口付近のみを覆う構成であり、その他の部分は覆われておらず防水効果としては不十分である。特許文献２に記載の防滴カバーは、複数の部材を用いて印刷装置全体を覆う構成ではあるが、部材構成や取り付けが複雑であるとともに、印刷装置のメンテナンスがしにくいとの課題がある。また、この種の防滴カバーは、適用される印刷装置の種類が限定されるとの課題があった。
【課題を解決するための手段】
【０００６】
本発明は、上述の課題の少なくとも一部を解決するためになされたものであり、以下の形態または適用例として実現することが可能である。
【０００７】
（適用例１）記録用紙に情報を記録し発行する印刷装置の防滴カバーであって、防水材料からなり、一方向に伸縮自在の覆い部と、前記覆い部を前記覆い部の伸縮方向と略直交する方向の両辺で保持する保持部と、前記保持部の前記覆い部と対向する端部方向に位置して、複数の前記保持部の、前記覆い部の伸縮方向への回動動作の支点となる要部と、前記要部近傍に位置して、前記要部が取り付けられる要部取付部と、前記印刷装置に固定されるとともに、前記要部取付部が取り付けられる腕部を有する第１固定具と、前記印刷装置の設置面に固定されるととともに、前記第１固定具が自在に着脱される第２固定具と、を備えることを特徴とする防滴カバー。
【０００８】
この構成によれば、防滴カバーにおいて、覆い部は、要（かなめ）部を中心として回動することによって一方向に伸縮することができる。そして、要部は、要部取付部によって印刷装置が固定された第１固定具の腕部に取り付けられる。さらに、第１固定具は、印刷装置の設置面、例えば壁面に固定された第２固定具に取り付けられる。そのため、防滴カバーは、覆い部を一方向に伸縮することによって覆う範囲を調整しつつ、壁面等の設置面に固定された印刷装置の必要な部分を確実に覆うことができる。その結果、印刷装置の水滴や水分による不具合を低減させることができる。また、覆う範囲が調整できることによって、ロール紙交換等の使い勝手を向上させることができる。また、防滴カバーは、印刷装置に直接取り付けられず、印刷装置に固定されている第１固定具を介して取り付けられる。そのため、異なる種類の印刷装置に対して適用することができ、汎用性の高い防滴カバーを提供することができる。
【０００９】
（適用例２）前記覆い部は可撓性を有するシート状の防水材料で形成され、前記保持部が前記要部を中心に扇状に作動することによって、前記覆い部が蛇腹状に伸縮することを特徴とする上記の防滴カバー。
【００１０】
（適用例３）前記覆い部は、前記保持部と一体に形成されるとともに複数に分割され、分割された前記保持部は扇形に形成され、前記覆い部は前記保持部を両端に配するとともに前記保持部の円弧部分に架設されており、前記覆い部は、前記要部を中心に回動されることによって、重畳状態に伸縮することを特徴とする上記の防滴カバー。
【００１１】
これらの構成によれば、防滴カバーにおいて、保持部は、要部を中心として任意の角度回動することができる。そのため、保持部に保持された覆い部は、自在に伸縮することができる。その結果、防滴カバーは、覆い部が覆う範囲を任意に調整することができる。
【００１２】
（適用例４）前記第１固定具は、前記印刷装置の底面に取り付けられる取付板を有し、前記取付板の前記印刷装置側の面に前記腕部が突出するように形成されるとともに、前記取付板の他方の面側に前記取付面と段差を有する板状の係止部が形成され、前記第２固定具は、前記設置面に据え付けられる据付板を有し、前記据付板の前記印刷装置側の面には、前記第１固定具の前記係止部が挿入される受け部を有していることを特徴とする上記の防滴カバー。
【００１３】
この構成によれば、第２固定具を印刷装置の設置面である壁面等に固定し、印刷装置が固定された第１固定具の係止部を第２固定具の受け部に挿入することによって、印刷装置を縦配置である壁掛け状態で設置することができる。また、第１固定具は、防滴カバーの伸縮の支点である要部を印刷装置側に設けられた腕部に取り付けることができる。そのため、壁掛け状態に設置された印刷装置の必要な部分を防滴カバーの覆い部で覆うことができる。その結果、水滴や水分による不具合を低減させることができる。
【図面の簡単な説明】
【００１４】
【図１】サーマルプリンターの外観構成を示す斜視図。
【図２】サーマルプリンターの側断面図。
【図３】サーマルヘッドの外観斜視図。
【図４】第１実施例の防滴カバーを説明する図。
【図５】サーマルプリンターの壁掛け用の治具を示す図。
【図６】第１固定具と第２固定具との関係を示す図。
【図７】第１実施例の防滴カバーがサーマルプリンターに装着された例を示す図。
【図８】第２実施例の防滴カバーを説明する図。
【図９】第２実施例の防滴カバーがサーマルプリンターに装着された例を示す図。
【発明を実施するための形態】
【００１５】
以下、本実施形態を、図面を参照して説明する。なお、以下の説明で参照する図面では、説明および図示の便宜上、部材ないし部分の縦横の縮尺を実際のものとは異なるように表す場合がある。
【００１６】
（印刷装置の全体構成について）
本実施形態の防滴カバーが適用される印刷装置について、サーマルプリンターを例にとり図１および図２を参照して説明する。図１は、サーマルプリンターの外観構成を示す斜視図である。図２は、サーマルプリンターの側断面図である。
【００１７】
このサーマルプリンターは、例えば、ＰＯＳシステムやレストランのオーダリングシステムに適用され、レシート、チケット、調理品目指示書等を印刷して単票として発行（発券）する。サーマルプリンターは、記録用紙としてロール状の感熱紙を収容して、この感熱紙に所定の情報を印刷して用紙切断装置としてのカッター部で記録用紙を所定の長さに切断して発行する。なお、このサーマルプリンターは、図１および図２に示す横配置を基本姿勢とし、スペース効率向上、水分や液体を扱う厨房内での使用等を目的に壁掛け等の縦配置に選択可能なものである。
【００１８】
まず、サーマルプリンターの基本姿勢である横置きの場合を例にとり説明する。なお、図１および図２に示すＸ方向は、印刷される感熱紙の幅方向を示し、Ｚ方向は、印刷ヘッドとしてのサーマルヘッド部での感熱紙の紙送り方向を示し、Ｙ方向は、Ｘ方向およびＺ方向と直交する方向を示す。図２に示すように、サーマルプリンター１００は、プリンター機構部１５０と、外装ケース２００と、制御部３００とから構成される。
【００１９】
（外装ケースについて）
ここで、外装ケースについて説明する。図１に示すように、外装ケース２００は、例えば、樹脂材料からなり略直方体形状を呈しており、下ケース２０５と、上ケース２１０と、パネル２１５と、上部カバー２２０とから構成されている。下ケース２０５は、図中Ｚ方向上面が開放された略直方体の箱形状に形成されている。上ケース２１０は、図中Ｚ方向下面が開放された底の浅い箱形状であって、Ｚ方向上側には、Ｙ方向に沿う前後に大小２つの開口部が形成されている。そして、上ケース２１０は、下ケース２０５と開放部同士が対向するように組み合わされる。その結果、Ｙ方向に沿って前側に下ケース２０５の上端まで達する小さな開口部が形成され、Ｙ方向に沿って後ろ側には前記小さな開口部よりはるかに大きな開口部が形成される。
【００２０】
パネル２１５は、同じく樹脂材料からなり断面Ｌ字形状に形成され、上ケース２１０の前側の下ケース２０５上端まで達する小さな開口部に嵌めこまれる。すなわち、パネル２１５は、外装ケース２００の前側上方の稜線部分を構成する。なお、パネル２１５は、図中矢印Ａ方向に引き出すことにより着脱自在となっている。上部カバー２２０は、同じく樹脂材料からなりヒンジ部に相当する支点２２０ａを有する扉状に形成され、上ケース２１０の後ろ側の大きな開口部に支点２２０ａを中心に開閉自在に嵌めこまれる。すなわち、上部カバー２２０は図中矢印Ｃ方向に開閉自在となっている。このようにして外装ケース２００の大枠が構成される。
【００２１】
また、外装ケース２００は、上部カバー２２０の上面Ｐ１のＸ方向の一方の側に、オープンレバー２３０を含む操作部が設けられている。オープンレバー２３０は、図１中矢印Ｂ方向に引き上げられることによって、図２に示すプリンター機構部１５０に設けられたカバーフレーム１２の図示しないロック機構が解除される。さらに、カバーフレーム１２は、上部カバー２２０と結合されている。そのため、上部カバー２２０が支点２２０ａを中心に矢印Ｃ方向に開き、ロール紙ホルダー１６が露出する。このようにすることにより、ロール状の感熱紙Ｓのセットもしくは取り出しができる。
【００２２】
外装ケース２００の図１中上面Ｐ１には、後述するプリンター機構部１５０が外装ケース２００内に収容されたとき、印刷部で印刷され用紙切断装置で所定の長さに切断された単票が発行される紙排出口３０が設けられている。紙排出口３０は、上ケース２１０の上部（架橋部）と上部カバー２２０のＹ方向前方との境界部に設けられ、周囲を上ケース２１０に形成された隆起状の紙ガイド３１ａと上部カバー２２０に形成された隆起状の紙ガイド３１ｂとによって囲まれている。この隆起状の紙ガイド３１ａ，３１ｂは、感熱紙Ｓをガイドする役割を有する。なお、以降の説明を簡便にするため、図１および図２において、上面Ｐ１に対向する底面をＰ２、後面をＰ３、前面をＰ４、側面をＰ５，Ｐ６と称する。
【００２３】
（プリンター機構部の全体構成について）
ここで、プリンター機構部の詳細を図２および図３を参照して説明する。図３はサーマルヘッドの外観斜視図である。なお、図３に示すＸ方向、Ｙ方向およびＺ方向は、図１および図２に示すＸ方向、Ｙ方向およびＺ方向と同一方向である。なお、本実施例で使用する感熱紙Ｓは、発色剤がバインダー等により保持されている発色層からなる印刷面を有し、この印刷面を外面に順次積層され構成されているロール状の感熱紙Ｓである。以降、このロール状の感熱紙をロール紙Ｒと呼ぶ。
【００２４】
図２に示すように、プリンター機構部１５０は、本体フレーム６０と、カバーフレーム１２と、ロール紙ホルダー１６と、カッター部２０と、印刷部７０と、を備えている。本体フレーム６０は、板金等からなり、Ｚ方向上方およびＹ方向前方に開口を有する略箱型に形成されている。カバーフレーム１２は、本体フレーム６０の上部後方に設けられている。カバーフレーム１２は、本体フレーム６０の後部両側の上端部に設けられた支軸６８を中心として開閉自在に取り付けられている。カバーフレーム１２には、カバーフレーム１２を閉じた際にロール紙Ｒとの接触を避けるための円弧状のカバー１５が設けられている。また、サーマルプリンター１００の設置角度を変える場合、すなわち、例えば縦配置に配置する場合、このカバー１５は、ロール紙Ｒを受ける保持部材としても機能する。
【００２５】
図２に示すように、ロール紙ホルダー１６は、本体フレーム６０の箱状に形成された内部の後方に、上記カバーフレーム１２およびカバー１５に覆われるように設けられている。ロール紙ホルダー１６は、樹脂等により形成され、中央部にロール紙Ｒの最大径に相当する略円弧状のくぼみを有し、本体フレーム６０の底部に、円弧状のくぼみの図示しない側面開口が本体フレーム６０の図示しない両側面側に向くように取り付けられている。本体フレーム６０の内側の両側面部分は、ロール紙Ｒの側面ガイド部として機能する。そのため、ロール紙Ｒは、側面を本体フレーム６０の内側の両側面部分に幅方向の動きを規制され、ロール紙ホルダー１６の略円弧状のくぼみに回転自在に保持される。
【００２６】
（カッター部について）
図２に示すように、カッター部２０は、本体フレーム６０の前方すなわちカバーフレーム１２の支軸６８とは相対する位置であって紙排出口３０の近傍に設けられている。カッター部２０は、可動刃２１とその駆動手段２２と固定刃２７とを備えている。可動刃２１とその駆動手段２２とは、第１カッターカバー２４内に収容され本体フレーム６０側に配置されている。可動刃２１は、駆動手段２２により図中矢印Ｅ方向に往復移動する。固定刃２７は、第２カッターカバー２９内に収容されカバーフレーム１２側、すなわち、感熱紙Ｓが通過する搬送経路を挟んで対向する側に配置されている。そのため、カバーフレーム１２を閉じた状態では、駆動手段２２により往復移動される可動刃２１の刃部と固定刃２７の刃部とが当接状態で摺動する。このことによって、感熱紙Ｓは紙排出口３０近傍で切断される。
【００２７】
（印刷部について）
図２に示すように、印刷部７０は、ロール紙ホルダー１６を始点として、カッター部２０の紙排出口３０を終点とする感熱紙Ｓの搬送経路Ｄ上の紙排出口３０近傍に設けられている。印刷部７０は、サーマルヘッド１０とヘッド保持機構７７とプラテン７１とを有している。なお、サーマルヘッド１０とヘッド保持機構７７とは本体フレーム６０側に、プラテン７１はカバーフレーム１２側に分離可能な状態で配設されている。
【００２８】
図３に示すように、サーマルヘッド１０は、放熱板１０６とヘッド支持軸１０２と基板としてのヘッド基板１１０とドライバーＩＣ１２０とＦＰＣ１０８とを有している。ヘッド基板１１０は、長矩形形状を呈しており、複数の発熱素子１４５からなる発熱素子列１４５ａが長手方向に沿って図中Ｚ方向上方に形成されている。また、発熱素子列１４５ａと平行して、発熱素子１４５を駆動する複数のドライバーＩＣ１２０が配設されている。放熱板１０６は、アルミニウム等の引き抜き材で形成され、ヘッド基板１１０が放熱板１０６の係止面１０６ａに両面粘着テープ等で貼り付けられている。
【００２９】
放熱板１０６のヘッド基板１１０のＺ方向上方には、案内斜面部１０４が放熱板１０６の長手方向にわたって形成されている。この案内斜面部１０４は、図２に示すカバーフレーム１２を閉じる際に、プラテン７１を滑動させて所定の位置まで案内する。この際、案内斜面部１０４の傾斜は、プラテン７１がヘッド基板１１０と衝突しないような所定の角度を有している。また、案内斜面部１０４の斜面は、この案内斜面部１０４に近接して付設されたヘッド基板１１０と略同じ高さになるように設定されている。ヘッド支持軸１０２は円柱状の丸ピンであり、放熱板１０６の左右の側面部に設けられた穴部に圧入されている。ＦＰＣ１０８は、一端をヘッド基板１１０に設けられた図示しない接続端子に接続され、他端は図２に示す制御部３００に接続されている。
【００３０】
図２に示すヘッド保持機構７７は、本体フレーム６０に形成された溝部としての切り欠き部６２とヘッド押圧板７２とヘッド押圧板７２に取り付けられるバネ７５とから構成されている。切り欠き部６２は、本体フレーム６０の上方に開口を有するとともに複数の溝部が形成されている。サーマルヘッド１０は、ヘッド支持軸１０２が本体フレーム６０の切り欠き部６２の一部に挿入されることによって、本体フレーム６０に取り付けられる。ヘッド押圧板７２は、上下に曲げ部が形成され、圧縮コイルバネであるバネ７５が固定されている。このヘッド押圧板７２は、切り欠き部６２に挿入され、曲げ部がそれぞれ切り欠き部６２の一部に係合することによって本体フレーム６０に取り付けられる。
【００３１】
このようにすることによって、サーマルヘッド１０とヘッド押圧板７２とは、切り欠き部６２の両側に、互いに略平行状態で支持される。ヘッド押圧板７２に固定されるバネ７５は、サーマルヘッド１０の背面に当接する。このバネ７５によりサーマルヘッド１０はプラテン７１方向に付勢される。このヘッド保持機構７７は、ヘッド押圧板７２に固定されたバネ７５をサーマルヘッド１０の背面からずらすことによって、切り欠き部６２から取り外すことができる。サーマルヘッド１０もバネ７５からの付勢力がなくなることによって、切り欠き部６２から取り外すことができる。このようにして、サーマルヘッド１０は本体フレーム６０に対して、着脱可能に支持される。
【００３２】
図２に示すように、プラテン７１は、ゴム等の弾性部材により円筒形のローラー状に形成され、プラテン軸受７３を介してカバーフレーム１２に回転可能に支持されている。プラテン７１の一方の軸には、図示しないプラテン歯車が圧入されている。本体フレーム６０には、溝部６４が設けられており、カバーフレーム１２を閉じると、プラテン７１が、サーマルヘッド１０の案内斜面部１０４に案内された後、プラテン軸受７３が溝部６４と当接する。さらに、サーマルヘッド１０によるプラテン７１への加圧力で、カバーフレーム１２には下向きの力が作用し、プラテン７１の位置が定められる。
【００３３】
以上の構成により、図２に示すように、プラテン７１は、感熱紙Ｓの内面Ｓ２の側から感熱紙Ｓをサーマルヘッド１０の方向に押圧し、プラテン７１と対向するサーマルヘッド１０は、感熱紙Ｓの外面Ｓ１の側から感熱紙Ｓをプラテン７１の方向に押圧して、感熱紙Ｓを挟持する。なお、このとき感熱紙Ｓの外面Ｓ１の表面に、前述の発色層が形成されている。また、本体フレーム６０の側面には、プラテン７１を回転駆動させるための図示しない紙送りモーターと紙送りモーターの動力を伝達する輪列歯車とが設けられている。上述のように、プラテン７１が本体フレーム６０の溝部６４に位置決めされることによって、プラテン歯車と輪列歯車とが噛み合い、紙送りモーターからの動力をプラテン７１に伝達する。
【００３４】
上述の構成を有するサーマルプリンター１００は、上部カバー２２０と連結するカバーフレーム１２を開き感熱紙Ｓからなるロール紙Ｒをセットして、感熱紙Ｓを紙排出口３０まで引き出し、上部カバー２２０と連結するカバーフレーム１２を閉じることによって、感熱紙Ｓはプラテン７１とサーマルヘッド１０との間、および可動刃２１と固定刃２７との間にセットされる。そして、紙送りモーターを起動しプラテン７１を回転させて感熱紙Ｓを送りながら、サーマルヘッド１０の直線状に配置された発熱素子１４５を選択的に通電して発熱させることによって、感熱紙Ｓに所定の情報を印刷することができる。また、カッター部２０を駆動して固定刃２７に対して可動刃２１を往復移動させることにより、情報が印刷された感熱紙Ｓを所定の長さに切断してレシートや調理品目指示書等の単票として発行することができる。なお、これらの動作は、制御部３００によって統括的に制御される。
【００３５】
（防滴カバーについて）
（第１実施例）
ここで、第１実施例の防滴カバーについて図４を参照して説明する。図４は、第１実施例の防滴カバーを説明する図である。詳しくは、図４（ａ）は、防滴カバーがほぼ開いた状態の正面図、（ｂ）は、防滴カバーがほぼ開いた状態の外観斜視図、（ｃ）は、保持部と要部および要部取付部との関係を示す図である。
【００３６】
図４（ａ），（ｂ）に示すように、防滴カバー８０は、覆い部８２と、保持部８４と、要（かなめ）部８５と、要部取付部８６と、引掛け部８８とを有している。覆い部８２は、例えば可撓性を有する防水布が好適に適用され長方形形状を呈している。図４（ｃ）に示すように、保持部８４は、プラスチック等の材料で３辺からなるコの字形状に形成されている。複数の保持部８４のそれぞれは、覆い部８２に対して、覆い部８２の長方形形状の長辺に沿って一定の間隔を隔てて、コの字形状の中央部の辺８４ａが固着されている。保持部８４の両端の２つの辺８４ｂ，８４ｃは、覆い部８２の長辺の縁から略直角方向に下部に向かって延びている。なお、中央部の辺８４ａは、覆い部８２の防水布に対して縫い付けられ、その後防水処理されていてもよい。また、覆い部８２の固着位置に布で筒状の挿入部を設け、保持部８４の辺８４ａを挿入して固着してもよい。
【００３７】
保持部８４の両端の２つの辺８４ｂ，８４ｃのそれぞれは、覆い部８２を保持する側以外の端部方向の一点である要部８５で回動自在に固定されている。保持部８４の２つの辺８４ｂ，８４ｃは、いわゆる扇の骨として機能し、要部８５を中心に図中矢印Ｕ方向に扇状に展開および折り畳み可能である。すなわち、保持部８４の２つの辺８４ｂ，８４ｃの展開もしくは折り畳みに従って、覆い部８２は要部８５を中心に図中矢印Ｕ方向に蛇腹状に伸縮する。また、保持部８４の２つの辺８４ｂ，８４ｃは、プラスチック等の弾性を有する材料で形成されているため、図中矢印Ｒ方向に撓むことができる。要部取付部８６は、例えば、金属で円柱状に形成されたピン形状を呈しており、ピン８６ａは、それぞれの要部８５の内方向を向くように２つ配置されている。引掛け部８８は、フック形状を呈し、覆い部８２の少なくとも１つ以上の短辺に設けられている。
【００３８】
（第１固定具および第２固定具について）
ここで、壁掛け用の治具としての第１固定具および第２固定具について図５および図６を参照して説明する。図５は、サーマルプリンターの壁掛け用の治具を示す図である。詳しくは、図５（ａ）は第１固定具の斜視図、（ｂ）は第１固定具の側面図、（ｃ）は第２固定具の斜視図、（ｄ）は第３固定具の斜視図である。図６は、第１固定具と第２固定具との関係を示す図である。図５および図６に示すＸ方向、Ｙ方向およびＺ方向は、図１〜３に示すＸ方向、Ｙ方向およびＺ方向と同一な方向を示す。
【００３９】
図５（ａ），（ｂ）に示すように、第１固定具９０は、金属の薄板によって形成され、印刷装置取付板９１と腕部９２と係止部９３とを有している。印刷装置取付板９１は、Ｘ方向を長辺方向とする長方形形状を呈し、長方形の短辺近傍にそれぞれ１つずつの穴部９１ａが形成されている。腕部９２は、同じく長方形形状を呈し、印刷装置取付板９１の２つの短辺より略直角方向（Ｚ（＋）方向）に立ち上がっている。腕部９２の先端部には穴部９２ａが形成されている。係止部９３は、同じく長方形形状を呈し、印刷装置取付板９１の１つの長辺の中央付近から、腕部９２の立ち上がり方向とは逆方向（Ｚ（−）方向）の段差ｈを有しつつ平面視でＴ字状にＹ方向に延出するように形成されている。
【００４０】
図５（ｃ）に示すように、第２固定具９４は、金属の薄板によって形成され、据付板９５と受け部９６とを有している。据付板９５は、Ｙ方向を長辺方向とする長方形形状を呈し、少なくとも各隅部近傍に穴部９５ａが形成されている。本実施例においては、受け部９６は、据付板９５のＹ方向の上下部分に１つずつ設けられている。受け部９６は、Ｘ方向において開部が互いに向かい合う２つの長方形形状の押え部９６ａから構成され、各々の押え部９６ａは据付板９５の面からＺ方向の間隙ｔを有するように、Ｘ方向外方向において段差部９６ｂによって支持されている。なお、このときの段差部９６ｂ同士間が形成するＸ方向の幅をｗとする。上述の構成により、受け部９６は、２つの段差部９６ｂによってＸ方向が幅ｗで規制され、２つの押え部９６ａによってＺ方向が間隙ｔで規制されるＹ方向に延びる空間を形成する。
【００４１】
なお、このとき、２つの段差部９６ｂ同士間が形成するＸ方向の幅ｗは、図５（ａ）に示す第１固定具９０の係止部９３のＸ方向の幅よりわずかに大きい値であり、押え部９６ａと据付板９５の面とが形成する間隙ｔは、第１固定具９０の係止部９３の板厚よりわずかに大きい値である。このように構成されることによって、第１固定具９０の係止部９３は、Ｙ方向に沿って第２固定具９４の受け部９６に挿入され、Ｘ方向Ｚ方向の位置決めがされる。また、第１固定具９０の印刷装置取付板９１のＹ方向下部が第２固定具９４の受け部９６のＹ方向上部に度当ることによって、Ｙ方向の位置規制もできる。上述のように、第１固定具９０と第２固定具９４とは位置決めされつつ着脱自在となる。
【００４２】
また、サーマルプリンター１００の大きさや重量によっては、図５（ｄ）に示す第３固定具９８を用いることも可能である。図５（ｄ）に示すように、第３固定具９８は、第１固定具９０に対して２つの腕部９２を除いた以外ほぼ同一な構成、サイズである。そのため、第３固定具９８の係止部９３は、第２固定具９４の受け部９６に挿入されることができ、上述のように、第３固定具９８と第２固定具９４とは位置決めされつつ着脱自在となる。
【００４３】
次いで、サーマルプリンター１００を壁掛け状態に設置する場合について図６を参照して説明する。まず、図６に示すように、上述の第２固定具９４を、サーマルプリンター１００が設置される壁面Ｗに、第２固定具９４の据付板９５が密着するように例えばネジ９９を用いて取り付ける。このとき、第２固定具９４の受け部９６の被挿入方向は図中Ｙ方向とする。次いで、上述の第１固定具９０を、サーマルプリンター１００の底面Ｐ２の所定の位置に例えばネジ９９を用いて取り付ける。本実施例では、第１固定具９０は、サーマルプリンター１００の紙排出口３０の近傍、すなわちＹ方向上部に、腕部９２がＺ方向において上面Ｐ１側に延出するように取り付けられる。
【００４４】
サーマルプリンター１００の大きさや重量によっては、上述の第３固定具９８を取り付けてもよい。このとき、第１固定具９０の係止部９３および第３固定具９８の係止部９３は、サーマルプリンター１００の底面Ｐ２からＺ方向に図５（ｂ）に示す段差ｈだけ隔ててＹ方向に延出している。そして、サーマルプリンター１００を図６中矢印ＭおよびＮ方向に移動させ、第１固定具９０の係止部９３を第２固定具９４の上部受け部９６に、第３固定具９８の係止部９３を第２固定具９４の下部受け部９６に挿入する。このようにすることによって、第１固定具９０および第３固定具９８が取り付けられたサーマルプリンター１００は、第２固定具９４を介して壁面Ｗに設置される。
【００４５】
（防滴カバーの取付について）
次いで、防滴カバーの取付について図７を参照して説明する。図７は、第１実施例の防滴カバーがサーマルプリンターに装着された例を示す図であり、詳しくは、壁掛け状態のサーマルプリンターに防滴カバーが装着された状態を示す図である。図７に示すＹ方向およびＺ方向は、図１〜３に示すＹ方向およびＺ方向と同一な方向を示す。
【００４６】
図７に示すように、壁面Ｗに設置されるサーマルプリンター１００は、第１固定具９０の腕部９２を外装ケース２００の両側面Ｐ５，Ｐ６に沿ってＺ方向に延出している。図４に示す防滴カバー８０を、覆い部８２が図７中のＹ方向上方に位置するように配置し、保持部の辺８４ｂ，８４ｃを図４中Ｒ方向外側に開き、要部取付部８６のピン８６ａを第１固定具９０の腕部９２の穴部９２ａに嵌合させる。その後、覆い部８２の壁面側の一方の短辺に設けられた引掛け部８８を壁面Ｗに引掛ける。そして、防滴カバー８０の覆い部８２の他方の短辺を矢印Ｕ方向に引張って覆い部８２を伸ばす。その結果、図７に示すように、防滴カバー８０は、サーマルプリンター１００の外装ケース２００の前面Ｐ４および上面Ｐ１を含む範囲を覆い部８２で覆うように取り付けられることができる。
【００４７】
このようにして、図中上部からの水滴がサーマルプリンター１００にかかることを防止することができる。また、防滴カバー８０の覆い部８２の他方の短辺を矢印Ｕ方向に押し覆い部８２を折り畳むことによって、サーマルプリンター１００のロール紙Ｒの交換やサーマルヘッド１０のクリーニング等のメンテナンスを容易に行うことができる。さらには、例えば発行する単票の長さに従い、覆い部８２を伸縮させることによって覆う範囲を調整することができ、単票の受け取り等の使い勝手を向上させることができる。なお、このとき、覆い部８２の引掛け部８８を壁面Ｗに引掛けることは必須ではない。防滴カバー単独でも覆い部８２を矢印Ｕ方向へ伸縮させることができる。
【００４８】
（防滴カバーについて）
（第２実施例）
ここで、第２実施例の防滴カバーについて図８を参照して説明する。図８は、第２実施例の防滴カバーを説明する図であり、（ａ）は、防滴カバーがほぼ開いた状態の正面図、（ｂ）は、防滴カバーがほぼ開いた状態の外観斜視図、（ｃ）は、防滴カバーの側面図である。図９は、第２実施例の防滴カバーがサーマルプリンターに装着された例を示す図であり、詳しくは、壁掛け状態のサーマルプリンターに防滴カバーが装着された状態を示す図である。図９に示すＹ方向およびＺ方向は、図１〜３に示すＹ方向およびＺ方向と同一な方向を示す。なお、第１実施例と同様な構成および内容については、符号を等しくして説明を省略する。
【００４９】
図８（ａ），（ｂ）に図示する防滴カバー８０Ａは、覆い部８２Ａと、保持部８４Ａと、要部８５Ａと、要部取付部８６と、引掛け部８８Ａとを有している。覆い部８２Ａは、例えばプラスチック等の材料で２つの保持部８４Ａと一体に形成されている。具体的には、保持部８４Ａは扇形に形成され、保持部８４Ａを両端に配し扇形の円弧部分は覆い部８２Ａで架設されている。本実施例では、覆い部８２Ａは複数（例えば、３つ）に分割されている。ここで、それぞれの覆い部８２Ａを、覆い部８２Ａ１，８２Ａ２，８２Ａ３として説明する。覆い部８２Ａ１，８２Ａ２，８２Ａ３および保持部８４Ａ１，８４Ａ２，８４Ａ３は、この順番で順次ひと回りずつ小さく形成されている。
【００５０】
保持部８４Ａ１，８４Ａ２，８４Ａ３は、扇形状の下部の一点を回転中心として重ね合わされ収束されている。この扇形状の下部の一点が要部８５Ａとなる。覆い部８２Ａ１，８２Ａ２，８２Ａ３および保持部８４Ａ１，８４Ａ２，８４Ａ３は、この順番で順次ひと回りずつ小さく形成され、保持部８４Ａ１，８４Ａ２，８４Ａ３の扇形状の下部の要部８５Ａを中心に回動することができる。そのため、覆い部８２Ａ３は覆い部８２Ａ２に嵌入出され、覆い部８２Ａ２は覆い部８２Ａ１に嵌入出される。覆い部８２Ａ１，８２Ａ２，８２Ａ３の嵌入出に従って、覆い部８２Ａは要部８５Ａを中心に図中矢印Ｖ方向に重畳状に伸縮する。
【００５１】
また、保持部８４Ａは、プラスチック等の弾性を有する材料で形成されているため、図中矢印Ｒ方向に撓むことができる。要部取付部８６は、例えば、金属で円柱状に形成されたピン形状を呈しており、ピン８６ａは、それぞれの要部８５Ａの内方向を向くように２つ配置されている。引掛け部８８Ａは、フック形状を呈し、覆い部８２Ａの少なくとも１つ以上の短辺に設けられている。
【００５２】
（防滴カバーの取付について）
次いで、防滴カバーの取付について図９を参照して説明する。図９は、第２実施例の防滴カバーがサーマルプリンターに装着された例を示す図であり、詳しくは、壁掛け状態のサーマルプリンターに防滴カバーが装着された状態を示す図である。図９に示すＹ方向およびＺ方向は、図１〜３に示すＹ方向およびＺ方向と同一な方向を示す。
【００５３】
図９に示すように、壁面Ｗに設置されるサーマルプリンター１００は、第１固定具９０の腕部９２を外装ケース２００の両側面Ｐ５，Ｐ６に沿ってＺ方向に延出している。図８に示す防滴カバー８０Ａを、覆い部８２Ａが図９中のＹ方向上方に位置するように配置し、保持部８４Ａを図８中Ｒ方向外側に開き、要部取付部８６のピン８６ａを第１固定具９０の腕部９２の穴部９２ａに嵌合させる。その後、覆い部８２Ａの壁面Ｗ側の一方の短辺に設けられた引掛け部８８Ａを壁面Ｗに引掛ける。そして、防滴カバー８０Ａの覆い部８２Ａの他方の短辺を矢印Ｖ方向に引張って覆い部８２Ａを伸ばす。その結果、図９に示すように、防滴カバー８０Ａは、サーマルプリンター１００の外装ケース２００の前面Ｐ４および上面Ｐ１を含む範囲を覆い部８２Ａで覆うように取り付けられることができる。
【００５４】
このようにして、図中上部からの水滴がサーマルプリンター１００にかかることを防止することができる。また、防滴カバー８０Ａの覆い部８２Ａの他方の短辺を矢印Ｖ方向に押して覆い部８２Ａを折り畳むことによって、サーマルプリンター１００のロール紙Ｒの交換やサーマルヘッド１０のクリーニング等のメンテナンスを容易に行うことができる。さらには、例えば発行する単票の長さに従い、覆い部８２Ａを伸縮させることによって覆う範囲を調整することができ、単票の受け取り等の使い勝手を向上させることができる。なお、このとき、覆い部８２Ａの引掛け部８８Ａを壁面Ｗに引掛けることは必須ではない。防滴カバー単独でも覆い部８２Ａを矢印Ｖ方向へ伸縮させることができる。
【００５５】
以下、本実施例の効果を記載する。
（１）上述の防滴カバー８０，８０Ａは、覆い部８２，８２Ａを壁掛け治具としての第１固定具９０および第２固定具９４を介して壁掛け状態のサーマルプリンター１００に取り付けられることができる。また、防滴カバー８０，８０Ａは、覆い部８２，８２Ａを伸縮方向に引いたり押したりすることによっての伸縮量、すなわち覆い部８２，８２Ａがサーマルプリンター１００を覆う範囲を任意に調整することができる。そのため、ロール紙Ｒの交換やサーマルヘッド１０のクリーニング等の印刷装置のメンテナンスを容易に行うことができる。また、単票の発行等使用状態によって最適な防滴カバー８０，８０Ａが覆う範囲を調整することができる。その結果、印刷装置の使い勝手を損なわない防滴カバー８０，８０Ａを提供することができる。
【００５６】
（２）上述の防滴カバー８０，８０Ａは、第１固定具９０および第２固定具９４を介してサーマルプリンター１００に取り付けられる。換言すると、サーマルプリンター１００には直接取り付けられていない。そのため、第１固定具９０のサーマルプリンター１００への取付け位置を任意に設定することができる。その結果、防滴カバー８０，８０Ａは、複数の異なる機種の印刷装置に対応することができ、汎用性に優れた防滴カバー８０，８０Ａを提供することができる。また、１つの防滴カバー８０，８０Ａで異なる機種や姿勢に対応することができるため、トータルコストを低減させることができる。
【００５７】
以上、本発明の実施例について説明したが、上記実施例に対しては、本発明の趣旨から逸脱しない範囲で様々な変形を加えることができる。例えば上記実施例以外の変形例は、以下の通りである。
【００５８】
（第１変形例）
上記実施例では、防滴カバー８０の要部取付部８６としてピン８６ａを適用する場合を例にとり説明したが、これに限定されない。例えば、Ｅリングやネジ等の締結部材を適用して取り付けてもよい。また、上記実施例では、引掛け部８８として、フック形状を有する場合を例にとり説明したが、これに限定されない。引掛け部８８は、吸着方式であってもよいし、接着による固着方式であってもよい。
【００５９】
（第２変形例）
上記実施例では、壁掛け状態のサーマルプリンター１００に防滴カバー８０，８０Ａを取り付ける場合について説明したが、第１固定具９０の係止部９３を除去や変形させることによって、サーマルプリンター１００の横置きの場合でも適応することができる。
【００６０】
（第３変形例）
上記実施例では、印刷装置としてサーマルプリンター１００を適用した場合を例にとり説明したが、これに限定されない。印刷装置として、例えば、インパクトプリンターやインクジェットプリンターを適用してもよい。
【符号の説明】
【００６１】
１０…サーマルヘッド、３０…紙排出口、７０…印刷部、７１…プラテン、８０，８０Ａ…防滴カバー、８２，８２Ａ…覆い部、８４，８４Ａ…保持部、８５，８５Ａ…要部、８６…要部取付部、８６ａ…ピン、８８，８８Ａ…引掛け部、９０…第１固定具、９１…印刷装置取付板、９２…腕部、９３…係止部、９４…第２固定具、９５…据付板、９６…受け部、９８…第３固定具、１００…印刷装置としてのサーマルプリンター、１５０…プリンター機構部、２００…外装ケース、３００…制御部、Ｓ…記録用紙としての感熱紙、Ｗ…壁面。
【図１】
2012006159.tif 000003
【図２】
2012006159.tif 000004
【図３】
2012006159.tif 000005
【図４】
2012006159.tif 000006
【図５】
2012006159.tif 000007
【図６】
2012006159.tif 000008
【図７】
2012006159.tif 000009
【図８】
2012006159.tif 000010
【図９】
2012006159.tif 000011